(57)【要約】【課題】回路基板を付け替えることで、種々の大きさの発光領域を有する発光板を提供し、この発光板を分割することによって、種々に大きさの発光ユニットを提供する。【解決手段】第１実施形態にかかる発光板１００は、主として、支持板１０と、ＬＥＤ２２が配置された回路基板２０と、この回路基板２０に外部から得られた電源を供給し、支持板１０の両側の端辺に配置される電源供給用基板３０と、を備えている。これにより、回路基板を付け替えることで、種々の大きさの発光領域を形成することができ、種々に大きさの発光ユニットを提供することができる。【選択図】図１
0003182404.tif 000002
【実用新案登録請求の範囲】
【請求項１】
支持板と、
電源と接続される外部電源端子と、前記電源から供給された電力をＬＥＤに供給する供給端子と、を有し、前記支持板に取り付けられた電源供給用基板と、
一端側に前記供給端子と着脱可能な被供給端子と、一面に直線状に配置された複数の前記ＬＥＤと、を有し、長尺部材で形成された複数の回路基板と、
を備えたことを特徴とする発光板。
【請求項２】
前記支持板及び前記電源供給用基板は、前記発光領域を含むように切断されて発光ユニットを作製可能であることを特徴とする請求項１に記載の発光板。
【請求項３】
前記電源供給用基板は、前記供給端子が同一ピッチで配置されていることを特徴とする請求項１又は２に記載の発光板
【請求項４】
前記電源供給用基板は、前記支持板に着脱可能に取り付けられていることを特徴とする請求項１から３のいずれか１項に記載の発光板。
【請求項５】
前記電源供給用基板は、前記支持板の端辺又は端辺近傍に配置されていることを特徴とする請求項１から４のいずれか１項に記載の発光板。
【請求項６】
前記電源用供給基板は、前記支持板の対向する両側の端辺又は両側の端辺近傍に配置されていることを特徴とする請求項１から５のいずれか１項に記載の発光板。
【請求項７】
前記回路基板は、前記ＬＥＤが同一ピッチで配置されていることを特徴とする請求項１から６のいずれか１項に記載の発光板。
【請求項８】
複数の前記回路基板は、異なる長さを有するものを含むことを特徴とする請求項１から７のいずれか１項に記載の発光板。
【請求項９】
前記回路基板は、前記供給端子に直角に連結可能であることを特徴とする請求項１から８のいずれか１項に記載の発光板。
【請求項１０】
前記供給端子のピッチと、前記ＬＥＤのピッチは同一ピッチであることを特徴とする請求項１から９のいずれか１項に記載の発光板。
【請求項１１】
前記回路基板は、異なる長さを有する複数の前記回路基板を異なる組み合わせで前記供給端子へ取り付けることによって、異なる前記ＬＥＤの数量及び配置を有する所定の発光領域を形成可能であることを特徴とする請求項１から１０のいずれか１項に記載の発光板。
【請求項１２】
前記回路基板は、両側の端辺に配置された前記電源供給用基板の間の長さの３５％〜４５％の長さを有する第１回路基板と、前記第１回路基板の３分の２以下の長さの第２回路基板と、を含むことを特徴とする請求項１から１１のいずれか１項に記載の発光板。
【請求項１３】
前記回路基板は、両側の端辺に配置された前記電源供給用基板の間の長さの３５％〜４５％の長さを有し、かつ同ピッチで３個の前記ＬＥＤを有する第１回路基板と、前記第１回路基板の３分の２以下の長さを有し、かつ前記第１回路基板と同様のピッチで２つの前記ＬＥＤが配置される第２回路基板と、を備えていることを特徴とする請求項１から１２のいずれか１項に記載の発光板。
【請求項１４】
前記回路基板は、さらに、両側の端辺に配置された前記電源供給用基板の間の長さの８０％以上の長さを有する第３回路基板を含むことを特徴とする請求項１から１３のいずれか１項に記載の発光板。
【請求項１５】
前記支持板は、前記第１回路基板又は前記第２回路基板の先端近傍で切断目安線が形成されていることを特徴とする請求項１から１４のいずれか１項に記載の発光板。
【請求項１６】
前記切断目安線は、溝で形成されていることを特徴とする請求項１５に記載の発光板。
【請求項１７】
前記供給端子は、外部電源から供給される１又は２以上の外部電源端子と、１又は２以上の供給端子と、からなる組み合わせにより１セットを構成し、
前記支持板及び電源供給用基板は、１セットごとに切断可能に形成されていることを特徴とする請求項１から１６のいずれか１項に記載の発光板。
【請求項１８】
前記被供給端子と前記供給端子は、コネクターで作製されていることを特徴とする請求項１から１７のいずれか１項に記載の発光板。
【請求項１９】
前記支持板及び前記回路基板には、それぞれ貫通孔が形成されており、前記貫通孔にリベットを取りつけることにより、前記支持板に前記回路基板を固定可能なことを特徴とする請求項１から１８のいずれか１項に記載の発光板。
【請求項２０】
前記支持板は、白色表面又は鏡面であることを特徴とする請求項１から１９のいずれか１項に記載の発光板。
【請求項２１】
請求項１から２０のいずれか１項に記載の発光板を、切断して形成される発光ユニット。
【考案の詳細な説明】
【技術分野】
【０００１】
本考案は、発光板及び発光ユニットに関する。
【背景技術】
【０００２】
従来から、ＬＥＤ等の発光器具が実装された回路基板を板に取りつけることによって、発光板を作製する方法が知られている。例えば、一面に発光素子が長手方向に複数個実装された矩形状の回路基板が長手方向に一列状に複数枚並置されるとともに幅方向に複数列並置され、各回路基板を他面側に位置した支持体に固定するために、回路基板の前記一面側に離隔して配置された複数の固定具が回路基板の前記一面側に配置された反射シートの開口を挿通し、列と直交する方向で隣り合う回路基板に配置された固定具同士が千鳥状に位置している発光板がある（特許文献１）。
【０００３】
この発光板によれば、回路基板の一面の側に離隔して千鳥状に配置された複数の固定具によって、回路基板が他面側に位置する支持体に固定される。この場合に複数の固定具は千鳥状に位置しているので、光反射率が低い固定具による輝度の低下の影響が分散され、照明光の輝度むらが抑制されるという効果がある。
【０００４】
しかし、上述した発光板は、あくまで固定された大きさの発光板で照明光を発光させるものであり、使用される場所の発光面に応じて作製する必要があり、種々の用途や使用場所に応じて発光板の大きさを変更できるものではなかった。
【先行技術文献】
【特許文献】
【０００５】
【特許文献１】特開２０１１−０３４９５６号公報
【考案の概要】
【考案が解決しようとする課題】
【０００６】
そこで、本考案は、上記課題を鑑みてなされたものであり、回路基板を付け替えることで、種々の大きさの発光領域を有する発光板を提供し、この発光板を発光領域ごとに分割することによって、種々の大きさの発光ユニットを提供することができる発光板を提供することを目的とする
【課題を解決するための手段】
【０００７】
本考案は、上述の目的を達成するために以下の手段を採った。
【０００８】
本考案にかかる発光板は、
支持板と、
電源と接続される外部電源端子と、前記電源から供給された電力をＬＥＤに供給する供給端子と、を有し、前記支持板に取り付けられた電源供給用基板と、
一端側に前記供給端子と着脱可能な被供給端子と、一面に直線状に配置された複数の前記ＬＥＤと、を有し、長尺部材で形成された複数の回路基板と、
を備えたことを特徴とする。
【０００９】
本考案の発光板は、発光素子であるＬＥＤが実装された回路基板を電源供給用基板の供給端子に着脱可能に形成することで、必要な大きさの発光領域を形成するように回路基板を取り付けることができる。すなわち、必要な発光領域内に回路基板を取りつけることで、必要な大きさにあわせて発光させることができる。
【００１０】
また、本考案にかかる発光板において、前記支持板及び前記電源供給用基板は、前記発光領域を含むように切断されて発光ユニットを作製可能であってもよい。必要な大きさの発光領域が作製された発光板をその発光領域の周囲で切断することによって、必要な大きさの発光ユニットを作製することができる。こうして１つの発光板から複数の同一又は異なる大きさの発光ユニットを作製することができる。
【００１１】
さらに、本考案にかかる発光板において、前記電源供給用基板は、前記供給端子が同一ピッチで配置されていてもよい。供給端子を同一ピッチに配置することで、複数の回路基板を配置した際に、一定の間隔で回路基板が配置されることになるため、均一な照度を有する発光領域を作製しやすくすることができる。
【００１２】
さらに、本考案にかかる発光板において、前記電源供給用基板は、前記支持板に着脱可能に取り付けられていてもよい。かかる構成を採用することによって、必要な領域に必要な大きさの電源供給用基板を支持板に設置することができる。
【００１３】
さらに、本考案にかかる発光板において、前記電源供給用基板は、前記支持板の端辺又は端辺近傍に配置されていてもよい。端辺又は端辺近傍に電源供給用基板が形成されているので、切断して発光ユニットを作製した際に電源供給用基板が端辺又は端辺近傍に形成される。そのため、電源を接続し易い発光ユニットとすることができる。
【００１４】
さらに、本考案にかかる発光板において、前記電源用供給基板は、前記支持板の対向する両側の端辺又は両側の端辺近傍に配置されていてもよい。電源供給用基板が両側に配置されることで、両側から延出するように回路基板を取りつけることができる。片方にのみ電源供給用基板が配置されている場合と比較して、両側に発光ユニットを形成できるため、多くの発光ユニットを作製することができる。
【００１５】
さらに、本考案にかかる発光板において、前記回路基板は、前記ＬＥＤが同一ピッチで配置されていてもよい。かかる構成を採用することで、各ＬＥＤが等間隔で配置されるので、均一の発光領域を形成しやすくすることができる。
【００１６】
さらに、本考案にかかる発光板において、複数の前記回路基板は、異なる長さを有するものを含むものであってもよい。異なる長さを有する回路基板を組み合わせて電源供給用基板に取り付けることで、様々な形状の発光領域を形成することができ、様々な形状の発光ユニットを作製することができる。
【００１７】
さらに、本考案にかかる発光板において、前記回路基板は、前記供給端子に直角に連結可能であってもよい。かかる構成を採用することで、直線状のＬＥＤが供給基板に対し、直角に配置され、それぞれの直線状のＬＥＤが平行に現れるため、より均一の照度を有する発光領域を作製しやすいものとなる。
【００１８】
さらに、本考案にかかる発光板において、前記供給端子のピッチと、前記ＬＥＤのピッチは同一ピッチであってもよい。かかる構成を採用することで、ＬＥＤが格子状に配置されるため、より均一の照度を有する発光領域を作製することができる。
【００１９】
さらに、本考案にかかる発光板において、前記回路基板は、異なる長さを有する複数の前記回路基板を異なる組み合わせで前記供給端子へ取り付けることによって、異なる前記ＬＥＤの数量及び配置を有する所定の発光領域を形成可能であってもよい。異なる長さを有する回路基板を組み合わせて電源供給用基板に取り付けることで、様々な形状の発光領域を形成することができ、様々な形状の発光ユニットを作製することができる。
【００２０】
さらに、本考案にかかる発光板において、前記回路基板は、両側の端辺に配置された前記電源供給用基板の間の長さの３５％〜４５％の長さを有する第１回路基板と、前記第１回路基板の３分の２以下の長さの第２回路基板と、を備えているものであってもよい。両側の端辺に配置された２つの電源供給用基板の間の長さの３５％〜４５％の長さを有する第１回路基板を用いることによって、両側の端辺に配置された電源供給用基板の中心線で支持板を切断することで、第１回路基板の長手方向は適切な長さを有する発光ユニットとすることができる。また、第１回路基板の３分の２以下の長さの第２回路基板を使用することで、第１回路基板を使用した場合と比較して３分の２以下の大きさの発光ユニットを作製することができる。
【００２１】
さらに、本考案にかかる発光板において、前記回路基板は、両側の端辺に配置された前記電源供給用基板の間の長さの３５％〜４５％の長さを有し、かつ同ピッチで３個のＬＥＤを有する第１回路基板と、前記第１回路基板の３分の２以下の長さを有し、かつ前記第１回路基板と同様のピッチで２つの前記ＬＥＤが配置される第２回路基板と、を備えているものであってもよい。かかる構成を採用することによって、第１回路基板を３枚並列して電源供給用基板に取りつけた場合に、縦横の両方に３個のＬＥＤがほぼ同様のピッチに配置された正方形の発光ユニットを作製することができる。また、第２回路基板を使用した場合には、第２回路基板を２枚並列に電源供給用基板に連結することで、縦横の両方に２個のＬＥＤがほぼ同様のピッチに配置された正方形の発光ユニットを作製することができる。このような発光ユニットとすることで、均一な照度を有する発光ユニットを作製することができる。
【００２２】
さらに、本考案にかかる発光板において、前記回路基板は、さらに、両側の端辺に配置された電源供給用基板の間の長さの８０％以上の長さを有する第３回路基板を備えているものであってもよい。かかる構成を採用することによって、支持板の長さ全体を均一に発光させることができる発光ユニットを作製することができる。
【００２３】
さらに、本考案にかかる発光板において、前記支持板は、前記第１回路基板又は前記第２回路基板の先端近傍で切断目安線が形成されているものであってもよい。かかる構成を採用することによって、毎回容易に適切な同じ位置で支持板を切断することができ、安定したサイズの発光ユニットを作製することができる。また、本考案にかかる発光板において、前記切断目安線は、溝で形成されているものであってもよい。かかる構成を採用することで、切断工具でより容易に切断することができる。
【００２４】
さらに、本考案にかかる発光板において、前記電源供給用基板の供給端子は、外部電源が供給される１又は２以上の外部電源端子と、１又は２以上の供給端子と、からなる組み合わせにより１セットを構成し、前記支持板及び電源供給用基板は、セットごとに切断可能に形成されているものであってもよい。かかる構成を採用することによって、１セットを単位として、２セット、３セットという具合にセットを単位として発光ユニットを作製することができる。
【００２５】
さらに、本考案にかかる発光板において、前記被供給端子と前記供給端子は、コネクターで作製されているものであってもよい。かかる構成を採用することによって、回路基板を容易に着脱することができ、任意の大きさの発光ユニットを容易に作製することができる。
【００２６】
さらに、本考案にかかる発光板において、前記支持板及び回路基板にそれぞれ貫通孔が形成されており、前記貫通孔にリベットを取りつけることにより、前記支持板に前記回路基板を固定可能なものであってもよい。かかる構成を採用することによって、容易に回路基板を支持板に固定することができる。
【００２７】
さらに、本考案にかかる発光板において、前記支持板は、白色表面又は鏡面であってもよい。かかる構成を採用することで、光を効率良く正面に反射することができ、より明るい発光板とすることができる。
【００２８】
前述した前記発光板を切断することによって、様々な大きさの発光ユニットを作成することができる。
【考案の効果】
【００２９】
本考案の発光板によれば、回路基板を付け替えることで、種々の大きさの発光領域を形成することができ、種々に大きさの発光ユニットを提供することができる。
【図面の簡単な説明】
【００３０】
【図１】図１は、第１実施形態にかかる第１回路基板２０ａと第２回路基板２０ｂを取りつけた状態を示す発光板１００を示す正面図である。
【図２】図２は、図１の発光板のＡ−Ａ部の拡大断面図である。
【図３】図３は、第１実施形態にかかる第３回路基板２０ｃを取りつけた状態を示す発光板１００を示す正面図である。
【図４】図４は、第１実施形態にかかる発光ユニット２００を示す正面図であり、図４Ａは発光ユニット２００ａを示し、図４Ｂは発光ユニット２００ｂを示す。
【図５】図５は、第１実施形態にかかる発光ユニット２００ｃを示す正面図である。
【図６】図６は、第２実施形態にかかる発光板１００を示す正面図である。
【図７】図７は、発光板１００の変形例を示す正面図である。
【考案を実施するための形態】
【００３１】
本考案にかかる発光板１００の実施形態について、図面を参照しつつ詳細に説明する。なお、以下に説明する実施形態及び図面は、本考案の実施形態の一部を例示するものであり、これらの構成に限定する目的に使用されるものではなく、本考案の要旨を逸脱しない範囲において適宜変更することができる。なお、各図において対応する構成要素には同一又は類似の符号が付されている。
【００３２】
（第１実施形態）
第１実施形態にかかる発光板１００が主として図１〜図３に示されている。図１は、第１実施形態にかかる発光板１００の正面図である。図２は、図１のＡ−Ａ拡大断面図である。図３は、図１に対して異なる回路基板を取りつけた発光板１００である。図１に示すように、第１実施形態にかかる発光板１００は、主として、支持板１０と、ＬＥＤ２２が配置された回路基板２０と、この回路基板２０に外部から得られた電力を供給し、支持板１０の両側の端辺に配置される電源供給用基板３０と、を備えている。
【００３３】
支持板１０は、回路基板２０及び電源供給用基板３０が取り付けられる板であり、回路基板２０及び電源供給用基板３０が取り付けられた後に、使用される場所に応じて必要な大きさに切断・分割されて使用される。支持板１０は、図２に示すように、回路基板２０及び電源供給用基板３０をリベット４０で取り付け、固定可能なように、複数の第１貫通穴１１が形成されている。なお、支持板１０の表面は、ＬＥＤ２２の光を効率よく反射するように白色又は鏡面にするとよい。
【００３４】
回路基板２０は、図１及び図３に示すように、それぞれ長さの異なる第１回路基板２０ａと、第２回路基板２０ｂと、第３回路基板２０ｃとを有し、それぞれ長尺の基板に複数のＬＥＤ２２が直線状に同一ピッチで実装されており、基板の端辺には、電源供給用基板３０と着脱可能な被供給端子２４として、雄型コネクターが形成されている。電力が被供給端子２４から各ＬＥＤ２２に供給されて、複数のＬＥＤ２２が発光する。回路基板２０は支持板１０の第２貫通穴２５とリベット４０で固定するため、回路基板２０の対応する位置に同様に第２貫通穴２５が形成されている。
【００３５】
第１回路基板２０ａは、図１に示すように、長さが支持板１０の両側の電源供給用基板３０の間の長さの３５％〜４５％の長さを有し、３つのＬＥＤ２２が同一のピッチとなるように実装されている。第２回路基板２０ｂは、第１回路基板２０ａの３分の２以下の長さに形成されており、第１回路基板２０ａのＬＥＤと同一の配置となるように２つのＬＥＤ２２が実装されている。第３回路基板２０ｃは、図３に示すように両側の端辺に配置された電源供給用基板３０の間の長さの８０％以上の長さを有しており、３つのＬＥＤが同ピッチとなるように実装されている。
【００３６】
ＬＥＤ２２の光の色は、限定するものではなく、例えば、白色、赤色、橙色、黄色、緑色、青色、藍色又は紫色のいずれかの色若しくはそれらの色の組み合わせ等であってもよい。
【００３７】
電源供給用基板３０は、長尺の基板の一方の側面に回路基板２０の被供給端子２４を取り付け可能な供給端子３２が複数形成されている。供給端子３２は、雄コネクターと着脱可能な雌コネクターからなり、回路基板２０の雄コネクターを雌コネクターにはめ込むことにより、回路基板２０は、電源供給用基板３０に対して直角に取り付けられる。供給端子３２は、第１回路基板２０ａと第２回路基板２０ｂを取り付け可能な第１供給端子３２ａと、第３回路基板２０ｃを取り付け可能な第２供給端子３２ｂとを有する。第１供給端子３２ａは、電源供給用基板３０に同一のピッチで配置されている。従って、図１に示すように第１回路基板２０ａ又は第２回路基板２０ｂは同一の間隔で並列して配置することができる。一方、第２供給端子３２ｂは、それぞれ２つの第１供給端子３２ａの間に配置されており、第１供給端子３２ａ同士はそれぞれ同一のピッチに配置されている。従って、図３に示すように、第３回路基板２０ｃは同一の間隔で並列して配置することができる。２つの第１供給端子３２ａとその間に配置される第２供給端子３２ｂに対応して外部電源（図示しない。）と接続可能な外部電源端子３４を有している。外部電源端子３４は、コネクター型の端子でもよいし、半田等で溶接する露出された金属端子であってもよい。電源供給用基板３０には、２つの第１供給端子３２ａと、その間に配置された第２供給端子３２ｂ及び２つの外部電源端子３４で１セット（図１の四角Ｂで囲んだ範囲）をなし、このセットが複数同一ピッチで配置されている。なお、第１供給端子及び第２供給端子のピッチは、ＬＥＤのピッチと同一のピッチとなるように形成すると、ＬＥＤが格子状に配置されることになるため、均一な照度を有する発光面を形成しやすい。
【００３８】
電源供給用基板３０は、第３貫通穴が形成されており、支持板１０の両端又は両端近傍にリベット４０で取り付け固定することができる。そのため、両端から内側に向けて回路基板２０を取り付けることができる。なお、本実施形態では、電源供給用基板３０を着脱可能に形成しているが、電源供給用基板３０は、必ずしも着脱可能でなくてもよく、接着剤、両面テープ等で支持板１０に取り外し不可能に取り付けてもよい。
【００３９】
以上のように作製された発光板１００は、以下のようにして使用される。例えば、図１に示したように、第１回路基板２０ａを２列並列して配置し、両端の電源供給用基板３０の真ん中で切断するとともに、２列目の隣で切断し、図１の一点鎖線Ｃで切断し長方形を切り出すことによって、図４Ａに示すように、縦に２つ、横に３つのＬＥＤ２２が同間隔で配置された長方形の発光ユニット２００を作製することができる。また、第２回路基板２０ｂを２列並列して配置し、第２回路基板２０ｂの先端近傍で切断し、２列目の隣で切断し、図１の一点鎖線Ｄで切断し、正方形に切り出すことによって、図４Ｂに示すように、縦横に２つＬＥＤ２２が同間隔で配置された一回り小さな正方形の発光ユニット２００ｂを作製することができる。また、第３回路基板２０ｃを配置して、１列目の隣を切断することで、図５に示すように、長方形の発光ユニット２００ｃを作製することができる。このように、第１回路基板２０ａ、第２回路基板２０ｂ及び第３回路基板２０ｃを選択して電源供給用基板３０に取り付けた後、必要な大きさに任意の方法で切断することで、種々の大きさを有する発光ユニット２００を作製することができる。こうして切り取られた発光ユニット２００ａ〜２００ｃは、外部電源端子３４に電源を供給することでＬＥＤが発光して、比較的均一な光を発光する発光体として使用することができる。
【００４０】
（第２実施形態）
第２実施形態にかかる発光板１００が図６に示されている。第２実施形態にかかる発光板１００は、支持板１０以外の構成は、第１実施形態と同様であるので、説明を省略する。第２実施形態にかかる支持板１０は、図６に示すように、各セットごとに分離する際に、目安となる切断目安線Ｅをあらかじめ一定の大きさとなるように形成してある点が異なる。かかる構成を採用することによって、容易に所定の大きさの発光ユニット２００ｄに分離することができる。切断目安線Ｅとしては、例えば、Ｖ字型の溝を形成して、例えば、カッター等の刃が滑りやすくしありする方法等が考えられるが、これに限定するものではない。
【００４１】
以上のように作製された発光ユニット２００ａ〜２００ｄは、例えば、照明装置として使用したり、正面に表示板等を配置して表示装置として使用したりすることができる。
【００４２】
なお、本考案は上述した実施形態に何ら限定されることはなく、本考案の技術的範囲に属する限り種々の態様で実施し得ることはいうまでもない。
【００４３】
上述した実施形態においては、電源供給用基板３０は、支持板１０の対向する両側の端辺近傍に形成したが、片側の端辺又は端辺近傍に形成してもよい。
【００４４】
上述した実施形態においては、回路基板２０として、第１回路基板２０ａ、第２回路基板２０ｂ及び第３回路基板２０ｃを用意したが、これらの回路基板２０の長さに限定するものではなく、両端に配置される電源供給用基板３０の間に配置可能な長さであれば、種々の長さのものを使用することができる。また、ＬＥＤ２２の数も特に限定するものではないし、ＬＥＤのピッチも必ずしも同一ピッチである必要はない。
【００４５】
また、上述した実施形態においては、回路基板２０を支持板１０に固定するのにリベットを使用したが、これに限定するものではない。例えば、両面テープを使用して回路基板２０を支持板１０に固定してもよいし、供給端子３２に被供給端子２４を連結するのみにであってもよい。
【００４６】
さらに、上述した第２実施形態においては、セットごとに切断目安線を設けるものとしたが、すべてのセットごとに切断目安線を設けなくてもよいし、さらに別の切断目安線を設けてもよい。
【００４７】
さらに、上述した実施形態においては、発光ユニットは、四角形に切断するものとしたが、四角形に限定するものではない。例えば、図７に示すように台形であってもよいし、図示しないが、三角形や円形であってもよい。また、必ずしも、１つの発光板からすべて同じ形状の発光ユニットを切断する必要はなく、図７に示すように、異なる形状の発光ユニットを同じ発光板から切断してもよい。
【産業上の利用可能性】
【００４８】
上述した実施の形態で示すように、発光ユニットとして利用することができる。
【符号の説明】
【００４９】
１０…支持板、１１…第１貫通穴、２０…回路基板、２０ａ…第１回路基板、
２０ｂ…第２回路基板、２０ｃ…第３回路基板、２２…ＬＥＤ、
２４…被供給端子、２５…第２貫通穴、３０…電源供給用基板、
３２…供給端子、３２ａ…第１供給端子、３２ｂ…第２供給端子、
３４…外部電源端子、４０…リベット、１００…発光板、
２００、２００ａ、２００ｂ、２００ｃ、２００ｄ…発光ユニット
【図１】
0003182404.tif 000003
【図２】
0003182404.tif 000004
【図３】
0003182404.tif 000005
【図４】
0003182404.tif 000006
【図５】
0003182404.tif 000007
【図６】
0003182404.tif 000008
【図７】
0003182404.tif 000009